(57)【要約】【課題】より簡単に印刷画像の指示ができる印刷装置を提供することを目的とする。【解決手段】入力データから表示用を示す情報が付加されたデータを選択する表示用データ選択手段と、このデータに基づいてユーザにとって視認性が高い表示用画像を作成する表示用画像作成手段と、表示用画像を表示する表示手段と、ユーザが表示用パネルを見ながら印字する画像を指示する指示手段と、入力データから表示用を示す情報が付加されていないデータを選択する印字用データ選択手段と、このデータと指示手段によって指示された結果に基づいて印字用画像を作成する印字用画像作成手段と、印字用画像を印字する印字手段とを有する構成とした。【選択図】図５
2005205708.tif 000002
【特許請求の範囲】
【請求項１】
ユーザからの指示に応じて印刷すべき画像が変化するようなデータを受け取り、印刷を行う印刷装置であって、受け取ったデータを保持するデータ保持手段と、前記データ保持手段に保持されたデータから表示用データを選択する表示用データ選択手段と、表示用データに基づいて表示用画像を作成する表示用画像作成手段と、表示用画像を表示する表示手段と、どのような画像を印字するかをユーザが指示する指示手段と、前記データ保持手段に保持されたデータから印字用データを選択する印字用データ選択手段と、印字用データから指示手段の結果に基づいて印字用画像を作成する印字用画像作成手段と、印字用画像を印字する印字手段とを有することを特徴とする印刷装置。
【請求項２】
ユーザからの指示に応じて印刷すべき画像が変化するようなデータを受け取り、印刷を行う印刷装置であって、受け取ったデータを保持するデータ保持手段と、前記データ保持手段に保持されたデータから表示用データを選択する表示用データ選択手段と、表示用データに基づいて表示用画像を作成する表示用画像作成手段と、表示用画像を表示する表示手段と、どのような画像を印字するかをユーザが指示する指示手段と、前記データ保持手段に保持されたデータから指示手段の結果に基づいて印字用画像を作成する印字用画像作成手段と、印字用画像を印字する印字手段とを有することを特徴とする印刷装置。
【請求項３】
請求項１及び請求項２記載の表示用データ選択手段は表示用を示す情報が付加されたデータのみを選択することを特徴とする印刷装置。
【請求項４】
請求項１記載の印字用データ選択手段は表示用を示す情報が付加されていないデータのみを選択することを特徴とする印刷装置。
【請求項５】
ユーザからの指示に応じて印刷すべき画像が変化するようなデータを受け取り、印刷を行う印刷方式であって、受け取ったデータを保持し、保持したデータから表示用データを選択し、表示用データに基づいて表示用画像を作成し、表示用画像を表示し、保持したデータから印字用データを選択し、印字用データからユーザの指示に基づいて印字用画像を作成し、印字用画像を印字することを特徴とする印刷方式。
【請求項６】
ユーザからの指示に応じて印刷すべき画像が変化するようなデータを受け取り、印刷を行う印刷方式であって、受け取ったデータを保持し、保持したデータから表示用データを選択し、表示用データに基づいて表示用画像を作成し、表示用画像を表示し、保持したデータからからユーザの指示に基づいて印字用画像を作成し、印字用画像を印字することを特徴とする印刷方式。
【請求項７】
請求項５及び請求項６記載の表示用データの選択は、表示用を示す情報が付加されたデータのみを選択することを特徴とする印刷方式。
【請求項８】
請求項５記載の印字用データの選択は、表示用を示す情報が付加されていないデータのみを選択することを特徴とする印刷方式。
【請求項９】
ユーザからの指示に応じて印刷すべき画像が変化するようなデータを受け取り、印刷を行うプログラムを記憶した記憶媒体であって、受け取ったデータを保持するステップと保持したデータから表示用データを選択するステップと、表示用データに基づいて表示用画像を作成するステップと、表示用画像を表示するステップと、保持したデータから印字用データを選択するステップと、印字用データからユーザの指示に基づいて印字用画像を作成するステップと、印字用画像を印字するステップとを有することを特徴とするプログラムを記憶した記憶媒体。
【請求項１０】
ユーザからの指示に応じて印刷すべき画像が変化するようなデータを受け取り、印刷を行うプログラムを記憶した記憶媒体であって、受け取ったデータを保持するステップと保持したデータから表示用データを選択するステップと、表示用データに基づいて表示用画像を作成するステップと、表示用画像を表示するステップと、保持したデータからユーザの指示に基づいて印字用画像を作成するステップと、印字用画像を印字するステップとを有することを特徴とするプログラムを記憶した記憶媒体。
【請求項１１】
請求項９及び請求項１０記載の表示用データを選択するステップは、表示用を示す情報が付加されたデータのみを選択することを特徴とするプログラムを記憶した記憶媒体。
【請求項１２】
請求項９記載の印字用データを選択するステップは、表示用を示す情報が付加されていないデータのみを選択することを特徴とするプログラムを記憶した記憶媒体。
【発明の詳細な説明】
【技術分野】
【０００１】
本発明は、ユーザからの指示に応じて印刷すべき画像が変化するようなデータを受け取って印刷を行う印刷装置、印刷方法及びそのプログラムを記憶した記憶媒体に関するものである。
【背景技術】
【０００２】
近年、インターネット技術の発達及び、携帯端末または携帯電話の急速な拡大により、ホストとなるコンピュータを使用せずに、携帯端末や携帯電話から、サーバーやウェブ上の情報を直接印刷するという要望が高まってきている。また、ウェブ上で扱われる情報の現在の主流はＨＴＭＬ（ＨｙｐｅｒＴｅｘｔ  Ｍａｒｋｕｐ  Ｌａｎｇｕａｇｅ）であるが、今後はＸＨＴＭＬ（Ｅｘｔｅｎｓｉｂｌｅ  ＨｙｐｅｒＴｅｘｔ  Ｍａｒｋｕｐ  Ｌａｎｇｕａｇｅ）やＳＶＧ（Ｓｃａｌａｂｌｅ  Ｖｅｃｔｏｒ  Ｇｒａｐｈｉｃｓ）といったＸＭＬ（Ｅｘｔｅｎｓｉｂｌｅ  Ｍａｒｋｕｐ  Ｌａｎｇｕａｇｅ）形式の言語となっていくと考えられている。また、サーバー内での情報の管理もＸＭＬ形式で行うようになってきている。
【０００３】
従って、コンピュータを使用せずにサーバーやウェブ上の情報を印刷する場合、印刷装置がＸＭＬ形式の言語やＨＴＭＬを直接解釈し、印刷する機能が必要となる。
【０００４】
ところで、ＸＭＬ形式の言語は、一般にコンピュータ用のディスプレイに表示することに重点が置かれており、一部の言語、例えばＳＶＧなどは、コンピュータ上での様々な指示により画像を変化させることができる。
【０００５】
ここでいう画像の変化とは、例えば、図形の移動、色の変更、特定のレイヤーのみを表示させることいったことである。
【０００６】
ＨＴＭＬにはこのように画像を変化させる手段がないので、印刷装置は入力されたＨＴＭＬデータをそのまま印刷するだけであった。一部の印刷装置は、印刷する画像が、ユーザが希望するものであるかを確認するために、表示用パネルにその縮小画像を表示する機能を有するものもあった。
【０００７】
ＳＶＧなどの画像が変化するような入力データの場合は、その変化の中で特定のもの、例えば初期状態のみを印刷するという方法があった。
【０００８】
ＸＭＬ形式言語の印刷の一例として、（特許文献１）等がある。また、ＳＶＧ形式言語の印刷の一例として、（特許文献２）等がある。
【特許文献１】特開２００３−２８０８４９号公報
【特許文献２】特開２００２−９１７２６号公報
【発明の開示】
【発明が解決しようとする課題】
【０００９】
ＳＶＧなど画像が変化するような入力データを印刷する場合、特定のものを印刷したとしても、その画像はユーザが希望したものであるとは限らない。従って何らかの方法によりユーザに指示させる方法が必要になる。その一つとして、従来の技術で行われてきたように、表示用パネルにその縮小画像を表示し、ユーザに指示させるということが考えられる。
【００１０】
しかしながら、一般に印刷装置の表示用パネルはコンピュータのディスプレイと比べると、解像度が低く、視認性も良くない。またコンピュータのようにマウスやキーボードといった使いやすい指示手段も提供されておらず、簡単な操作パネルのみが用意されている場合がほとんどである。従って、縮小画像を表示用パネルに表示させ、操作パネルから指示させる方法は、ユーザにとって非常に扱いにくいものであった。
【００１１】
本発明は上記課題を解決するものであり、ユーザが画像を指示するために必要な情報のみを選択し表示することにより、解像度が低い表示用パネルでも視認性を高め、ユーザがより簡単に印刷する画像を指示することが可能な印刷装置を提供することを目的としている。
【課題を解決するための手段】
【００１２】
この課題を解決するために、本発明は、第１の構成として、入力データから表示用を示す情報が付加されたデータを選択する表示用データ選択手段と、このデータに基づいてユーザにとって視認性が高い表示用画像を作成する表示用画像作成手段と、表示用画像を表示する表示手段と、ユーザが表示用パネルを見ながら印字する画像を指示する指示手段と、入力データから表示用を示す情報が付加されていないデータを選択する印字用データ選択手段と、このデータと指示手段によって指示された結果に基づいて印字用画像を作成する印字用画像作成手段と、印字用画像を印字する印字手段とを有する構成とした。この構成により解像度が低い表示用パネルでも視認性を高め、ユーザがより簡単に印刷する画像を指示することのできる印刷装置が得られる。
【００１３】
また、第２の構成として、入力データから表示用を示す情報が付加されたデータを選択する表示用データ選択手段と、このデータに基づいてユーザにとって視認性が高い表示用画像を作成する表示用画像作成手段と、表示用画像を表示する表示手段と、ユーザが表示用パネルを見ながら印字する画像を指示する指示手段と、入力データと指示手段によって指示された結果に基づいて印字用画像を作成する印字用画像作成手段と、印字用画像を印字する印字手段とを有する構成とした。この構成により、表示用画像のためだけに別のデータを用意することなく、解像度が低い表示用パネルでも視認性を高め、ユーザがより簡単に印刷する画像を指示することのできる印刷装置が得られる。
【発明の効果】
【００１４】
以上のように本発明の実施の形態１及び形態２によれば、ユーザの指示により画像が変化するようなデータを印刷する場合において、一般に印刷装置が有する解像度が低い表示用パネルでも視認性を高めることが可能となり、ユーザがより簡単に印刷する画像を指示することが可能な印刷装置を提供することができる。
【発明を実施するための最良の形態】
【００１５】
（実施の形態１）
以下、本発明の実施の形態１について図１から図７を参照しながら説明する。
【００１６】
図１、図２は本発明の実施の形態１における印刷装置と、サーバー、携帯端末との接続の例を示すブロック図であり、図３、図４は本発明の実施の形態１における印刷装置と、サーバーとの接続の例を示すブロック図である。
【００１７】
図１の例において、１は本発明の機能を持つ印刷装置、２は印刷するデータを指定する携帯端末、３はデータを保管及び送信するサーバー、４は印刷装置１、携帯端末２、サーバー３間でデータのやり取りを可能にするためのネットワークである。
【００１８】
以下、処理の流れを説明する。ユーザは携帯端末２を使い、ネットワーク４を経由して
サーバー３に接続する。複数のサーバー（図示せず）が存在する場合は、サーバー３のＵＲＬ（Ｕｎｉｆｏｒｍ  Ｒｅｓｏｕｒｃｅ  Ｌｏｃａｔｏｒ）やＩＰ（Ｉｎｔｅｒｎｅｔ
Ｐｒｏｔｏｃｏｌ）アドレスなどで特定する。なお、サーバー３のＵＲＬやＩＰアドレスを取得するために、別の管理サーバー（図示せず）へ一旦接続を行い、管理サーバーからサーバー３のＵＲＬやＩＰアドレスを取得してもよい。
【００１９】
サーバー３は、保存しているデータの一覧を、ネットワーク４を経由して携帯端末２へ転送する。なおデータの一覧は、階層化構造やＨＴＭＬなどを利用したハイパーリンク構造となっていてもよい。またサーバー３が検索機能を提供し、携帯端末２によって入力された検索キーに適合したデータのみを一覧として携帯端末２へ転送してもよい。
【００２０】
携帯端末２は、受け取ったデータの一覧を表示し、一個または複数個のデータを選択する手段をユーザに提供する。ユーザは印刷したいデータを携帯端末２において選択する。携帯端末２は選択されたデータを特定する情報をネットワーク４を経由してサーバー３へ転送する。データを特定する情報としてはＵＲＬやデータにつけられた固有の番号などが考えられる。
【００２１】
なお、ここまではサーバー３がデータの一覧をネットワーク４を経由して携帯端末２へ一旦転送するとして説明したが、携帯端末２にあらかじめデータの一覧を保存しておいても良いし、ユーザがデータのＵＲＬやデータにつけられた固有の番号を直接指定してもよい。
【００２２】
サーバー３は、どのデータが印刷するとして選択されたのかを示す情報を受け取ったら、保存されているデータをネットワーク４を経由して印刷装置１へ転送する。ここでサーバー３は、保存されているデータをそのまま送信するだけでなく、別のデータを追加または一部削除など変更を行った後に、送信または保存しているデータをもとに新たに作成したデータを送信してもよい。
【００２３】
印刷装置１は、受け取ったデータを処理（詳細は後述）し、印刷する。
【００２４】
なお、本説明では印刷するデータを選択するための装置として携帯端末２を例に説明したが、これに限るものではなく、例えば、携帯電話、ノートパソコン、デスクトップパソコンなどでもよく、さらに特定のデータしか選択しないような場合は無線タグなども考えられる。また、ネットワーク４は単一のものとして説明したが、印刷装置１とサーバー３間でデータのやり取りを行うネットワークと、携帯端末２とサーバー３間でデータのやり取りを行うネットワークに分かれていてもよい。また、ネットワーク４は有線通信だけでなく、無線ＬＡＮや携帯電話の通信網を用いた通信、赤外線通信、Ｂｌｕｅ  Ｔｏｏｔｈ等の無線通信でもよい。また、複数の印刷装置（図示せず）がある場合に、特定の印刷装置を指定する方法として、印刷装置１のＵＲＬやＩＰアドレスまたは固有の番号を携帯端末２を用いて指定する方法がある。印刷装置１のＵＲＬやＩＰアドレスまたは固有の番号は、ユーザが手動で入力してもよいし、印刷装置１につけられたバーコード情報などを、携帯端末２で読み取ることにより入力してもよい。
【００２５】
次に、図２の例における処理の流れを説明する。ユーザは携帯端末２を使い、印刷装置１に印刷するデータを指示する。指示する方法としては、まず、サーバー３が保存しているデータの一覧をネットワーク４を経由して印刷装置１がサーバー３から取得し、さらに携帯端末２へ転送する。複数のサーバーが存在する場合は、ＵＲＬやＩＰアドレスなどを携帯端末２または印刷装置１において指定することにより特定する。
【００２６】
なお、サーバー３のＵＲＬやＩＰアドレスを取得するために、別の管理サーバー（図示
せず）へ一旦接続を行い、管理サーバーからサーバー３のＵＲＬやＩＰアドレスを取得してもよい。また、印刷装置１が管理サーバーとなってもよい。データの一覧は、階層化構造やＨＴＭＬなどを利用したハイパーリンク構造となっていてもよい。またサーバー３が検索機能を提供し、携帯端末２によって入力された検索キーに適合したデータのみを一覧として印刷装置１へ転送してもよい。
【００２７】
携帯端末２は、受け取ったデータの一覧を表示し、一個または複数個のデータを選択する手段をユーザに提供する。ユーザは印刷したいデータを携帯端末２において選択する。携帯端末２は選択されたデータを特定する情報を印刷装置１へ転送する。データを特定する情報としてはＵＲＬやデータにつけられた固有の番号などが考えられる。
【００２８】
なお、ここまではサーバー３がデータの一覧を印刷装置１を経由して携帯端末２へ一旦転送するとして説明したが、携帯端末２にあらかじめデータの一覧を保存しておいても良いし、ユーザがデータのＵＲＬやデータにつけられた固有の番号を直接指定してもよい。また、印刷装置１がデータの一覧を保持していてもよい。
【００２９】
印刷装置１は、どのデータが印刷するとして選択されたのかを示す情報を受け取ったら、選択されたデータを、ネットワーク４を経由してサーバー３から取得する。ここでサーバー３は、保存されているデータをそのまま送信するだけでなく、別のデータを追加、または一部削除など変更を行った後に送信、または保存しているデータをもとに、新たに作成したデータを送信してもよい。
【００３０】
印刷装置１は、受け取ったデータを処理（詳細は後述）し、印刷する。
【００３１】
なお、本説明では印刷するデータを選択するための装置として携帯端末２を例に説明したが、これに限るものではなく、例えば、携帯電話、ノートパソコン、デスクトップパソコンなどでもよく、さらに特定のデータしか選択しないような場合は無線タグなども考えられる。また、ネットワーク４と印刷装置１と携帯端末２間のデータ転送は、有線通信だけでなく、無線ＬＡＮや携帯電話の通信網を用いた通信、赤外線通信、Ｂｌｕｅ  Ｔｏｏｔｈ等の無線通信でもよい。特に、印刷装置１と携帯端末２とのデータ転送は、取り外し可能なメモリカードを使って転送してもよい。
【００３２】
図３の例における構成は、携帯端末２で行っていた処理を印刷装置１で行うことを除いて図２の構成と同じであるので詳細な説明は省略する。
【００３３】
図４の例における構成は、サーバー３で行っていた処理を印刷装置１で行うことを除いて図２の構成と同じであるので詳細な説明は省略する。
【００３４】
図５は、本発明の実施の形態１における印刷装置のブロック図である。図５において、５は本発明の印刷装置の全体を示す。印刷装置５は、受信手段６、データ記憶手段７、表示用データ選択手段８、表示用画像作成手段９、表示手段１０、指示手段１１、印字用データ選択手段１２、印字用画像作成手段１３、印字手段１４から構成される。
【００３５】
図１に示すような接続形態をとった場合、図５の受信手段６は図１のサーバー３から送信されてきたデータを受け取り、順次データ記憶手段７に記憶させる。
【００３６】
図２から図４に示すような接続形態をとった場合、受信手段６はサーバー３へデータ依頼を出した後、サーバー３から送信されてきたデータを受け取り、順次データ記憶手段７へ記憶させる。
【００３７】
データ記憶手段７は、受信したデータを記憶する。表示用データ選択手段８は、データ記憶手段７に記憶されたデータを先頭から順次読み取り、その中から表示用データのみを選択する。表示用画像作成手段９は、表示用データ選択手段８にて選択されたデータを、後述する表示手段１０が表示できる形式へ変換する。表示手段１０は、表示画像作成手段９によって作成された表示用画像をユーザに対して表示する。指示手段１１は、ユーザから指示される印刷方法を受信する。印字用データ選択手段１２は、データ記憶手段７に記憶されたデータを先頭から順次読み取り、その中から印字用データのみを選択する。印字用画像作成手段１３は、印字用データ選択手段１２にて選択されたデータを、後述する印字手段１４が表示できる形式へ変換する。印字手段１４は、印字用画像作成手段１３によって作成された印字用画像を紙などへ印字する。
【００３８】
図６及び図７は本発明の実施の形態１における印刷装置の動作を示すフローチャートである。まず、図５の受信手段６はサーバー３から送られてきたデータを受け取り、データ記憶手段７へデータを記憶させる（Ｓ１０１）。受信するデータは、Ｐｏｓｔ ＳｃｒｉｐｔやＰＣＬなどのページ記述言語と呼ばれるプリンタに適した言語や、ＸＨＴＭＬやＳＶＧなどのＸＭＬ形式のデータなどがある。
【００３９】
データを受信する毎に、受信手段６はデータ受信を完了したか否かを判定する（Ｓ１０２）。受信を完了していない場合は、受信手段６が受信を完了したと判定するまでＳ１０１とＳ１０２を繰り返す。受信手段６が全てのデータの受信が完了したと判断したら、次の処理へ移る。なお、データ記憶手段７での記憶形式は、入力されたデータをそのまま保存しても良いし、内部で扱いやすい形式に変更してもよい。特に、ＸＭＬ形式のデータが入力される場合は、ＤＯＭ（Ｄｏｃｕｍｅｎｔ  Ｏｂｊｅｃｔ  Ｍｏｄｅｌ）ツリーと呼ばれる、ツリー形式で保存する方法がある。
【００４０】
受信手段６が、受信が完了したと判定するのは、特定の文字列を受信した場合や所定の時間データが転送されなくなった場合などがある。特に、ＸＭＬ形式のデータは入れ子構造となっているので、この場合、最上位の入れ子の終了を表すデータが送られてきたときに終了と判断するなどの方法がある。
【００４１】
全ての受信のデータが完了した後、表示用データ選択手段８はデータ記憶手段７に記憶されたデータを先頭から順次取得する（Ｓ１０３）。表示用データ選択手段８は、取得したデータが表示用であるか否かを判定する（Ｓ１０４）。この判定は入力されたデータにつけられた情報によって行う。例えば、特定の文字列より前、またはより後のデータを表示用データとする方法、先頭または最後の特定の個数のデータを無条件に表示用データとする方法、表示用データの開始を示すデータと、終了を示すデータに囲まれたデータを全て表示用データとする方法、データ各々につけられたフラグが表示用データであることを示しているものを表示用データとする方法などがある。特にＸＭＬ形式のデータの場合、最後の２つの方法、つまり表示用データを示すエレメントを作成し、その子エレメントを全て表示用データとする場合や、各エレメントのプロパティとして表示用データか否かを指定する方法が考えられる。
【００４２】
Ｓ１０４にてデータが表示用データであると判定された場合は、そのデータを表示用画像作成手段９にて表示用画像に変換する（Ｓ１０５）。その後、全てのデータに対しての処理が終了したかを判定し（Ｓ１０６）、終了していない場合はＳ１０３から同様に繰り返す。全てのデータに対しての処理が終了した場合は、次の処理へ移る。
【００４３】
ここで、表示用画像の形式として、画素毎の色の値を示したデータまたは各画素の表示、表示を表したデータであるビットマップと呼ばれる形式や、描画方法を表現したコマンドの集合として表した形式や、またはその組み合わせた形式がある。表示用画像をコマン
ドの集合として表した場合は、コマンドを順次読み取り、ビットマップを作成するビットマップ作成手段（図示せず）が別途必要となる場合がある。また、全てのデータに対して、まずＳ１０４と同様の判定を全てのデータに行い、表示用データと判定されたものを表示用データ保存手段（図示せず）に保存し、表示用データ保存手段に保存されたデータを読み取りながら、表示用画像作成手段９にて表示用画像を作成してもよい。このようにして、表示用画像の作成が終了したら、表示手段１０に表示用画像を表示する（Ｓ１０７）。
【００４４】
Ｓ１０７にて表示手段１０に表示用画像を表示した後、指示手段１１はユーザからの指示を受け付ける状態になる（Ｓ１０８）。ユーザの指示が完了したか否かを判定し（Ｓ１０９）、ユーザの指示が完了していない場合は、Ｓ１０８から同様に繰り返す。ユーザの指示が完了した場合は、次の処理へ移る。
【００４５】
ユーザの指示が完了した後、印字用データ選択手段１２は、データ記憶手段７に記憶されたデータを先頭から順次取得する（Ｓ１１０）。印字用データ選択手段１２は取得したデータが表示用であるか否かを判定する（Ｓ１１１）。この判定はＳ１０４における判定と同様である。Ｓ１０４にてデータが表示用データでない判定された場合は、そのデータを、印字用画像作成手段１３にて印字用画像に変換する（Ｓ１１２）。
【００４６】
その後、全てのデータに対しての処理が終了したかを判定し（Ｓ１１３）、終了していない場合は、Ｓ１１０から同様に繰り返す。全てのデータに対しての処理が終了した場合は、次の処理へ移る。
【００４７】
ここで印字用画像の形式は、表示用画像の形式と同様である。このようにして、印字用画像の作成が終了したら、印字手段１４において印字用画像を用紙へ印刷する（Ｓ１１４）。
【００４８】
（実施の形態２）
以下、本発明の実施の形態２について、図６、図８、図９を参照しながら説明する。
【００４９】
説明は本発明の実施の形態１と異なる部分のみ行う。
【００５０】
図８は本発明の実施の形態２における印刷装置のブロック図である。図８は、本発明の実施の形態１における印刷装置のブロック図である図５から印字用データ選択手段１２が削除されたことを除いて、他はすべてと同じである。つまり、印字用画像作成手段１３は、データ記憶手段７に記憶された全てのデータを印字用画像に変換する。
【００５１】
図６及び図９は、本発明の実施の形態２における印刷装置の動作を示すフローチャートである。図６のＳ１０１からＳ１０９は本発明の実施の形態１と同じなので説明を省略する。
【００５２】
図６のＳ１０９にてユーザの指示が完了した後、印字用画像作成手段１３はデータ記憶手段７に記憶されたデータを先頭から順次取得する（Ｓ１１５）。印字用画像作成手段１３は取得したデータを全て印字用画像に変換する（Ｓ１１６）。その後、全てのデータに対しての処理が終了したかを判定し（Ｓ１１７）、終了していない場合は、Ｓ１１５から同様に繰り返す。全てのデータに対しての処理が終了した場合は、次の処理へ移る。ここで印字用画像の形式は、表示用画像の形式と同様である。このようにして、印字用画像の作成が終了したら、印字手段１４において印字用画像を用紙へ印刷する（Ｓ１１８）。
【００５３】
ここで、本発明の実施の形態１及び実施の形態２における表示用画像と印字用画像につ
いて、図１０から図１２を参照しながらさらに説明を行う。図１０は入力されるデータで表現された図形を全て画像に変換したものの一例を示す図である。
【００５４】
図１０において、２１は画像全体、２２は表示用データとの情報が付加されたデータを画像に変換した部分である。図１０の画像は説明のためのものであり、本発明の実施の形態１及び実施の形態２において印刷及び表示されることはない。この例では、画像は「自然」、「道路」、「建物」という３つのレイヤーを持ち、ユーザによって選択された１つ以上のレイヤーのみを印刷することができる。
【００５５】
図１１は本発明の実施の形態１及び形態２において表示手段に表示される画像の一例を示す図である。表示手段１０には図１０における２２の部分のみが選択されて表示されている。図１１において、２３は表示手段１０に表示される画像全体、２４ａ、２４ｂ、２４ｃは指示手段１１と連動してどのレイヤーを選択したかを表現するボタンであり、２５ａ、２５ｂ、２５ｃはレイヤーの説明である。なお、ボタン２４ａ、２４ｂ、２４ｃ及びレイヤーの説明２５ａ、２５ｂ、２５ｃは、入力されたデータによって変化するものであり、これに限るものではない。ユーザは指示手段１１を操作し、印刷するレイヤーを選択する。
【００５６】
図１１はユーザが「道路」のレイヤーを選択した場合を表しており、ボタン２４ｂの中心が黒く塗りつぶされている。なお、これはユーザが選択したレイヤーを表す一例であり、他にボタン全体を塗りつぶす、ボタンまたは説明またはその両方の色を変える、色を反転する、下線を引く、線で囲むなどがある。ユーザが選択したレイヤーをユーザに知らせる必要がない場合はこのような処理は省いてもよい。
【００５７】
図１２は本発明の実施の形態１において印字手段にて用紙に印刷される画像の一例を示す図である。図１２において２６は印刷される用紙全体である。このように印刷される画像は、図１０の画像から表示用データである２２の部分を削除し、また特定のレイヤー、この場合は「道路」のレイヤーのみとなる。
【００５８】
図１３は本発明の実施の形態２において印字手段にて用紙に印刷される画像の一例を示す図である。図１３において２７は印刷される用紙全体である。このように印刷される画像は、図１０の画像における特定のレイヤー、この場合は「道路」のレイヤーのみとなる。
【００５９】
なお、本説明では入力されるデータが複数のレイヤーを持ち、レイヤーを選択して印刷するという形式で説明を行ったが、これに限るものではない。例えば、入力されるデータが特定の画像から特定の画像へ連続的に変化する、つまりアニメーションを表現しているような場合でもよい。
【００６０】
この場合は、どの時刻における画像を印刷するかをユーザに指示させる必要があり、以下のような方法がある。第１の方法は、表示手段１０にアニメーションの開始時刻と、終了時刻を表示し、指示手段１１にて印刷する時刻をユーザに指定させる。このとき、ユーザが指定した時刻における画像を表示手段１０に表示してもよい。
【００６１】
第２の方法は、特定の時刻における画像を表示手段１０に複数個表示し、その中からユーザに選択させる。表示する特定の時刻は、ユーザに例えば時間の間隔や分割数を指示手段１１にて指示させ、それをもとに決定してもよいし、ユーザの指示なしに印刷装置が独自に決定してもよい。
【００６２】
第３の方法は、表示手段１０にアニメーションを動作させ、指示手段１１の入力に従っ
てアニメーション動作を停止させ、その画像を印刷する。
【００６３】
ここで、本発明の実施の形態１及び形態２における指示手段１１についてさらに説明を行う。
【００６４】
図１４は本発明の実施の形態１及び形態２における指示手段の一例を示す図である。図１４において、３１は指示手段１１全体であり、カーソルキー３２ａから３２ｄ、数字キー３３ａから３３ｊ、機能キー３４ａから３４ｄ、決定キー３５、取消しキー３６から構成される。
【００６５】
なお図１４に示した指示手段１１は一例であり、一部を削除または一部を追加してもよいし、各キーの個数もこれに制限するものではない。
【００６６】
図１１の画像が表示手段１０に表示された場合、指示手段１１は以下のような動作のいずれかを行う。
【００６７】
第１の動作は、ユーザがカーソルキー３２ａを押下した場合、表示手段１０には選択候補を示すマークが上に移動し、カーソルキー３２ｄを押下した場合、マークが下に移動する。決定キー３５が押下されるとその時点でマークがあるレイヤーが選択されたものとする。
【００６８】
第２の動作は、数字キー３３ａが押下された場合は、最も上に表示されたレイヤー、この場合は「自然」のレイヤーが選択されたものとする。同様に数字キー３３ｂの場合は「道路」のレイヤー、３３ｃの場合は「建物」のレイヤーが選択されたものとする。なお、数字キー３３とレイヤーの組み合わせはこれに限るものではない。また、表示手段１０に数字キー３３とレイヤーの対応を表すものを表示してもよい。
【００６９】
第３の動作は、機能キー３４ａが押下された場合は、最も上に表示されたレイヤー、この場合は「自然」のレイヤーが選択されたものとする。同様に機能キー３４ｂの場合は「道路」のレイヤー、３４ｃの場合は「建物」のレイヤーが選択されたものとする。なお、機能キー３４とレイヤーの組み合わせはこれに限るものではない。また、表示手段１０に機能キー３４とレイヤーの対応を示すものを表示してもよい。
【００７０】
入力されたデータがアニメーション表す場合は、指示手段１１においてユーザは、例えば数字キー３３を用いて印刷する時刻を入力してその時刻の画像を印刷するように指示するなどの方法がある。
【産業上の利用可能性】
【００７１】
上述した発明は、ユーザの指示により画像が変化するようなデータを印刷する場合において、一般に印刷装置が有する解像度が低い表示用パネルでも視認性を高めることが可能となるという有利な効果が得られ、ユーザがより簡単に印刷する画像を指示するための印刷装置の分野に好適である。
【図面の簡単な説明】
【００７２】
【図１】本発明の実施の形態１における印刷装置と、サーバー、携帯端末との接続の例を示すブロック図
【図２】本発明の実施の形態１における印刷装置と、サーバー、携帯端末との接続の例を示すブロック図
【図３】本発明の実施の形態１における印刷装置と、サーバーとの接続の例を示すブロック図
【図４】本発明の実施の形態１における印刷装置と、サーバーとの接続の例を示すブロック図
【図５】本発明の実施の形態１における印刷装置のブロック図
【図６】本発明の実施の形態１及び形態２における印刷装置の動作を示すフローチャート
【図７】本発明の実施の形態１における印刷装置の動作を示すフローチャート
【図８】本発明の実施の形態２における印刷装置のブロック図
【図９】本発明の実施の形態２における印刷装置の動作を示すフローチャート
【図１０】入力されるデータで表現された図形を全て画像に変換したものの一例を示す図
【図１１】本発明の実施の形態１及び形態２において表示手段に表示される画像の一例を示す図
【図１２】本発明の実施の形態１において印字手段にて用紙に印刷される画像の一例を示す図
【図１３】本発明の実施の形態２において印字手段にて用紙に印刷される画像の一例を示す図
【図１４】本発明の実施の形態１及び形態２における指示手段の一例を示す図
【符号の説明】
【００７３】
１    印刷装置
２    携帯端末
３    サーバー
４    ネットワーク
５    印刷装置
６    受信手段
７    データ記憶手段
８    表示用データ選択手段
９    表示用画像作成手段
１０    表示手段
１１    指示手段
１２    印字用データ選択手段
１３    印字用画像作成手段
１４    印字手段
【図１】
2005205708.tif 000003
【図２】
2005205708.tif 000004
【図３】
2005205708.tif 000005
【図４】
2005205708.tif 000006
【図５】
2005205708.tif 000007
【図６】
2005205708.tif 000008
【図７】
2005205708.tif 000009
【図８】
2005205708.tif 000010
【図９】
2005205708.tif 000011
【図１０】
2005205708.tif 000012
【図１１】
2005205708.tif 000013
【図１２】
2005205708.tif 000014
【図１３】
2005205708.tif 000015
【図１４】
2005205708.tif 000016